(57)【要約】【課題】容器に果物・野菜等を入れてカッターにより切削攪拌ジュースなどの調理物をつくるミキサーなどの電動調理器において、安全レバーが異常な位置で停止する状態を未然に防ぎ、カッターが外部に露出した状態では回転しないようにして安全性を向上する。【解決手段】電動機２を内蔵した電動調理器本体１内に上下動する安全ピン６を設け、電動機２により回転駆動されるカッター９を内設した容器台３を電動調理器本体１に装着し、容器台３に調理物を投入する容器４を螺合嵌合により装着し、容器台３の内側面に上下動する安全レバー７を設ける。容器４を容器台３に嵌合装着したときは容器４に形成した螺子山１２にて安全レバー７を押し下げ、容器４を容器台３から外すときは螺子山１２にて安全レバー７を引き上げる構成とする。【選択図】図１
2010194020.tif 000002
【特許請求の範囲】
【請求項１】
電動機を内蔵した電動調理器本体と、前記電動調理器本体内に設け上下動する安全ピンと、調理物を投入する容器と、前記電動機により回転駆動されるカッターと、前記カッターを内設し前記容器を螺合嵌合により装着し前記電動調理器本体に装着される容器台と、前記容器台内側面に設け上下動する安全レバーとを備え、前記容器を容器台に嵌合装着したときは前記容器に形成した螺子山にて安全レバーを押し下げ、前記容器を容器台から外すときは前記螺子山にて安全レバーを引き上げる構成とした電動調理器。
【請求項２】
容器に形成した螺子山は、一条未満で、円周方向に安全レバーの幅以上の隙間を設けた請求項１記載の電動調理器。
【請求項３】
容器台と安全レバーの間にばねを設置し、容器が容器台に装着されていないときは前記ばねにて安全レバーを上方向に押し上げる構成とした請求項１または２記載の電動調理器。
【請求項４】
容器台に安全レバーを複数個設けた請求項１〜３のいずれか１項に記載の電動調理器。
【発明の詳細な説明】
【技術分野】
【０００１】
本発明は、容器に果物・野菜等を入れてカッターにより切削攪拌ジュースなどの調理物をつくるミキサーなどの電動調理器に関するものである。
【背景技術】
【０００２】
従来、この種の電動調理器は、図７に示すように構成していた。以下、その構成について説明する。
【０００３】
図７に示すように、電動調理器本体１に電動機２を内蔵し、この電動機２に直結した下コネクタ１１と上コネクタ１０を介して、電動調理器本体１に装着された容器台３に軸支されたカッター９を高速回転させ、容器４内の果物・野菜等と液体を切削・粉砕し攪拌する。
【０００４】
容器台３は上下動自在に支持された安全レバー１３を内蔵し、容器台３の内側面に安全レバー１３の一部が突出する開口部を設け、容器４が容器台３に嵌合装着した場合に、安全レバー１３の突出した頭頂部１３ｂが容器４の螺子山１２に押圧されることにより安全レバー１３を押し下げる。押し下げられた安全レバー１３が、電動調理器本体１上に突設された安全ピン６を押すことにより、安全ピン６がスイッチ５を押し、電動機２への電源回路を閉じる安全構成となっている（例えば、特許文献１参照）。
【特許文献１】特開２００１−３０９８５９号公報
【発明の開示】
【発明が解決しようとする課題】
【０００５】
しかしながら、このような従来の構成では、容器４と容器台３を嵌合した状態で、容器台３と安全レバー１３の隙間に異物が挟まったり、ジュースが侵入後に乾燥したりして、安全レバー１３が押し下がった状態で固着してしまった場合に、安全ピン６が押され、カッター９が外部に露出した状態で回転して危険であるという問題を有していた。
【０００６】
本発明は、上記従来の課題を解決するもので、安全レバーが異常な位置で停止する状態を未然に防ぎ、カッターが外部に露出した状態では回転しないようにして安全性を向上することを目的としている。
【課題を解決するための手段】
【０００７】
本発明は上記目的を達成するために、電動機を内蔵した電動調理器本体内に上下動する安全ピンを設け、電動機により回転駆動されるカッターを内設した容器台を電動調理器本体に装着し、容器台に調理物を投入する容器を螺合嵌合により装着し、容器台内側面に上下動する安全レバーを設け、容器を容器台に嵌合装着したときは容器に形成した螺子山にて安全レバーを押し下げ、容器を容器台から外すときは螺子山にて安全レバーを引き上げる構成としたものである。
【０００８】
これにより、安全レバーが異常な位置で停止する状態を未然に防ぐことができ、カッターが外部に露出した状態では回転しないようにできて、安全性を向上することができる。
【発明の効果】
【０００９】
本発明の電動調理器は、安全レバーが異常な位置で停止する状態を未然に防ぐことができ、カッターが外部に露出した状態では回転しないようにできて、安全性を向上することができる。
【発明を実施するための最良の形態】
【００１０】
第１の発明は、電動機を内蔵した電動調理器本体と、前記電動調理器本体内に設け上下動する安全ピンと、調理物を投入する容器と、前記電動機により回転駆動されるカッターと、前記カッターを内設し前記容器を螺合嵌合により装着し前記電動調理器本体に装着される容器台と、前記容器台内側面に設け上下動する安全レバーとを備え、前記容器を容器台に嵌合装着したときは前記容器に形成した螺子山にて安全レバーを押し下げ、前記容器を容器台から外すときは前記螺子山にて安全レバーを引き上げる構成としたものであり、容器を容器台から外している状態では、常に安全レバーが引き上がっているという安全な位置にあることができる。このことにより、安全レバーが異常な位置で停止して、カッターが外部に露出した状態で回転することを未然に防ぐことができて、安全性を向上することができる。
【００１１】
第２の発明は、上記第１の発明において、容器に形成した螺子山は、一条未満で、円周方向に安全レバーの幅以上の隙間を設けたものであり、安全レバーが螺子山に拘束されない位置を作ることができ、安全レバー凹部の開口長さを螺子山ピッチの１．５倍程度に短くすることができるため、安全レバー凹部の剛性を高めることができる。
【００１２】
第３の発明は、上記第１または第２の発明において、容器台と安全レバーの間にばねを設置し、容器が容器台に装着されていないときは前記ばねにて安全レバーを上方向に押し上げる構成としたものであり、容器が容器台から外れている状態での安全レバーが押し下がった状態での固着を防ぐことができるため、より安全な電動調理器を提供することができる。
【００１３】
第４の発明は、上記第１〜３のいずれか１つの発明において、容器台に安全レバーを複数個設けたものであり、容器台の電動調理器本体への載置位置を複数箇所に増やすことができる。
【００１４】
以下、本発明の実施の形態について、図面を参照しながら説明する。なお、この実施の形態によって本発明が限定されるものではない。
【００１５】
（実施の形態１）
図１は、本発明の実施の形態１における電動調理器の一部切欠した側面図である。
【００１６】
図１に示すように、電動調理器本体１は、電動機２を内蔵し、内部に上下動する安全ピン６を設け、電動機２により回転駆動されるカッター９を内設した容器台３を電動調理器本体１に装着し、容器台３に調理物を投入する容器４を螺合嵌合により装着している。容器台３内側面に上下動する安全レバー７を設け、安全レバー７がばね８を介して安全ピン６を押すことによりスイッチ５をオンし、電動機２の電源回路を閉じてカッター９を回転できるようにしている。他の構成は従来例と同じであるので、同一符号を付して説明を省略する。
【００１７】
ここで、容器４を容器台３に嵌合装着したときは、容器４に形成した螺子山１２にて安全レバー７を押し下げ、容器４を容器台３から外すときは螺子山１２にて安全レバー７を引き上げる構成としている。
【００１８】
上記構成において、動作、作用を説明する。容器４がカッター９を内設した容器台３に螺合嵌合により装着するとき、容器４に形成された螺子山１２にて容器台３内側面に設けた上下動する安全レバー７を押し下げる。容器台３を電動調理器本体１に設置すると、安全レバー７は安全ピン６を押すことにより、電動機２への電源回路を閉じる。
【００１９】
容器４を装着せずに容器台３を電動調理器本体１に載置しても、安全レバー７は安全ピン６を押さないため、電動機２への電源回路は開放されており、カッター９が外部に露出した状態で回転することはない。
【００２０】
図２は、容器４を容器台３に装着した状態の要部断面図、図３は、容器４を容器台３から外す途中の状態の要部断面図である。
【００２１】
図２および３に示すように、安全レバー７の突出部側面に安全レバー凹部７ａを設け、容器４を容器台３に螺合嵌合により装着した場合には、安全レバー凹部７ａの下側を容器４に形成した螺子山１２が押し下げ、容器４を容器台３から外す場合には、安全レバー凹部７ａの上側を容器４に形成した螺子山１２が引き上げる形状としている。このことにより、容器４を容器台３から外す際には、安全レバー７が確実に引き上げられ、容器４を装着せずに容器台３を電動調理器本体１に載置しても、安全レバー７が安全ピン６を押すことはないため電源回路は開放されており、カッター９が回転することはなく安全である。
【００２２】
また、上記構成は、容器４と容器台３の着脱時に確実に安全レバー７の位置を規制することができるため、安全レバー７が作動範囲の途中で止まることを防ぐこともできる。
【００２３】
以上のように、本実施の形態においては、容器４を容器台３に嵌合装着したときは容器４に形成した螺子山１２にて安全レバー７を押し下げ、容器４を容器台３から外すときは螺子山１２にて安全レバー７を引き上げる構成としたので、容器４を容器台３から外している状態では、常に安全レバー７が引き上がっているという安全な位置にあることができ、安全レバー７が異常な位置で停止して、カッター９が外部に露出した状態で回転することを未然に防ぐことができて、安全性を向上することができる。
【００２４】
（実施の形態２）
図４は、本発明の実施の形態２における電動調理器の容器の一部切欠した斜視図である。
【００２５】
図４に示すように、容器４に形成した螺子山１２は、一条未満の長さで、かつ円周方向に安全レバー７の幅以上の隙間を設けている。他の構成は上記実施の形態１と同じであり、同一符号を付して説明を省略する。
【００２６】
上記構成において、動作、作用を説明する。螺子山１２は、一条未満の長さで、かつ円周方向に安全レバー７の幅以上の隙間を設けることにより、安全レバー７が螺子山１２に拘束されない位置を作ることができ、安全レバー凹部７ａの開口長さを螺子山１２のピッチの１．５倍程度に短くすることができるため、安全レバー凹部７ａの剛性を高めることができる。
【００２７】
以上のように、本実施の形態においては、容器４に形成した螺子山１２は、一条未満で、円周方向に安全レバー７の幅以上の隙間を設けたので、安全レバー凹部７ａの開口長さを螺子山ピッチの１．５倍程度に短くすることができるため、安全レバー凹部７ａの剛性を高めることができる。
【００２８】
（実施の形態３）
図５は、本発明の実施の形態３における電動調理器の一部切欠した側面図である。
【００２９】
図５に示すように、ばね８は、容器台３と安全レバー７の間に設置し、容器４が容器台３に装着されていないときは、ばね８にて安全レバー７を上方向に押し上げるよう構成し
ている。他の構成は上記実施の形態１または２と同じであり、同一符号を付して説明を省略する。
【００３０】
上記構成において、動作、作用を説明する。容器４が容器台３に装着されていないとき、安全レバー７はばね８によって上方へ押し上げられる。このことにより、容器４を装着せずに容器台３を電動調理器本体１に載置しても、安全レバー７が安全ピン６を押すことはないため電源回路は開放されており、カッター９が回転することはなく安全である。
【００３１】
以上のように、本実施の形態においては、容器台３と安全レバー７の間にばね８を設置し、容器４が容器台３に装着されていないときは、ばね８にて安全レバー７を上方向に押し上げる構成としたので、容器４が容器台３から外れている状態での安全レバー７が押し下がった状態での固着を防ぐことができるため、より安全な電動調理器を提供することができる。
【００３２】
（実施の形態４）
図６は、本発明の実施の形態４における電動調理器の容器台の斜視図である。
【００３３】
図６に示すように、容器台３に安全レバー７を複数個設けている。他の構成は上記実施の形態１〜３と同じであり、同一符号を付して説明を省略する。
【００３４】
上記構成において、動作、作用を説明する。容器台３に複数個の安全レバー７を設けているため、容器台３を電動調理器本体１へ載置する際に、いずれか１つの安全レバー７で安全ピン６を押すことができる。このことにより、容器台３の電動調理器本体１への載置位置を複数箇所に増やすことができる。
【００３５】
以上のように、本実施の形態においては、容器台３に安全レバー７を複数個設けたので、容器台３の電動調理器本体１への載置位置を複数箇所に増やすことができる。
【産業上の利用可能性】
【００３６】
以上のように、本発明にかかる電動調理器は、安全レバーが異常な位置で停止する状態を未然に防ぐことができ、カッターが外部に露出した状態では回転しないようにできて、安全性を向上することができるので、容器に果物・野菜等を入れてカッターにより切削攪拌ジュースなどの調理物をつくるミキサーなどの電動調理器として有用である。
【図面の簡単な説明】
【００３７】
【図１】本発明の実施の形態１における電動調理器の一部切欠した側面図
【図２】同電動調理器の容器を容器台に装着した状態の要部断面図
【図３】同電動調理器の容器を容器台から外す途中の状態の要部断面図
【図４】本発明の実施の形態２における電動調理器の容器の一部切欠した斜視図
【図５】本発明の実施の形態３における電動調理器の一部切欠した側面図
【図６】本発明の実施の形態４における電動調理器の容器台の斜視図
【図７】従来の電動調理器の一部切欠した側面図
【符号の説明】
【００３８】
１  電動調理器本体
２  電動機
３  容器台
４  容器
６  安全ピン
７  安全レバー
９  カッター
１２  螺子山
【図１】
2010194020.tif 000003
【図２】
2010194020.tif 000004
【図３】
2010194020.tif 000005
【図４】
2010194020.tif 000006
【図５】
2010194020.tif 000007
【図６】
2010194020.tif 000008
【図７】
2010194020.tif 000009